(57)【要約】【課題】  スクリーン上に投射された投射画像上の指示位置にポインタを安定して投射する。【解決手段】  投射装置の一例であるプロジェクタ２０は、画像をスクリーン５０に投射する画像投射部２２と、外部から指示されたスクリーン５０上の指示位置を特定する位置特定部２５２と、位置特定部２５２により特定されたスクリーン５０上の指示位置に、レーザー光により生成したポインタを投射するポインタ投射部２４とを備える。上記プロジェクタ２０において、プロジェクタ２０を無線通信により遠隔操作し、プロジェクタ２０と別体であるリモコン４０からの入力に基づき、位置特定部２５２が指示位置を特定する。【選択図】図２
2005062486.tif 000002
【特許請求の範囲】
【請求項１】
画像をスクリーンに投射する画像投射部と、
外部から指示された前記スクリーン上の指示位置を特定する位置特定部と、
前記位置特定部により特定された前記スクリーン上の前記指示位置に、レーザー光により生成したポインタを投射するポインタ投射部と、
を備える投射装置。
【請求項２】
前記投射装置を無線通信により遠隔操作し、前記投射装置と別体である遠隔操作装置からの入力に基づき、前記位置特定部が前記指示位置を特定する請求項１に記載の投射装置。
【請求項３】
前記スクリーン上の前記指示位置を指示する指示者を撮像する指示者撮像部をさらに備え、
前記位置特定部は、前記指示者撮像部により撮像された前記指示者の映像および前記指示者から前記スクリーンまでの距離に基づき、前記指示者が指示した前記スクリーン上の前記指示位置を特定する請求項１に記載の投射装置。
【請求項４】
画像をスクリーンに投射する画像投射部と、
前記スクリーン上に投射された前記画像を指示する指示者を撮像する指示者撮像部と、
前記指示者撮像部により撮像された前記指示者の映像および前記指示者から前記スクリーンまでの距離に基づき、前記指示者が指示した前記スクリーン上の指示位置を特定する位置特定部と、
前記位置特定部により特定された前記スクリーン上の前記指示位置にポインタを投射するポインタ投射部と
を備える投射装置。
【請求項５】
前記指示者撮像部は、前記指示者の指を撮像し、
前記位置特定部は、前記指示者撮像部により撮像された前記指示者の前記指の方向と前記スクリーンとの交点を前記指示位置として特定する請求項３または４に記載の投射装置。
【請求項６】
前記指示者撮像部は、前記指示者の指を拡大して撮像する請求項５に記載の投射装置。
【請求項７】
前記指示者撮像部は、撮像すべき領域を前記指示者の指が移動した方向に移動する請求項５に記載の投射装置。
【請求項８】
前記指示者撮像部は、前記指示者の視線を撮像し、
前記位置特定部は、前記指示者撮像部により撮像された前記指示者の前記視線と前記スクリーンとの交点を前記指示位置として特定する請求項３または４に記載の投射装置。
【請求項９】
画像を生成する画像生成装置および前記画像をスクリーンに投射する投射装置を備える投射システムであって、
前記投射装置は、
前記画像生成装置により生成された前記画像を前記スクリーンに投射する画像投射部と、
外部から指示された前記スクリーン上の指示位置を特定する位置特定部と、
前記位置特定部により特定された前記スクリーン上の前記指示位置に、レーザー光により生成したポインタを投射するポインタ投射部とを有する
投射システム。
【請求項１０】
前記投射装置と別体であり、前記投射装置の画像投射部を無線通信により遠隔操作する遠隔操作装置をさらに備え、
前記位置特定部は、前記遠隔操作装置からの入力により、前記指示位置を特定する請求項９に記載の投射システム。
【請求項１１】
画像を生成する画像生成装置および前記画像をスクリーンに投射する投射装置を備える投射システムであって、
前記投射装置は、
前記画像生成装置により生成された前記画像を前記スクリーンに投射する画像投射部と、
前記スクリーン上に投射された前記画像を指示する指示者を撮像する指示者撮像部と、
前記指示者撮像部により撮像された前記指示者の映像および前記指示者から前記スクリーンまでの距離に基づき、前記指示者が指示した前記スクリーン上の指示位置を特定する位置特定部と、
前記位置特定部により特定された前記スクリーン上の前記指示位置にポインタを投射するポインタ投射部とを有する
投射システム。
【請求項１２】
前記画像を前記スクリーンに投射し、
外部から指示された前記スクリーン上の指示位置を特定し、
特定された前記指示位置に、レーザー光により生成したポインタを投射する
投射方法。
【請求項１３】
前記画像を前記スクリーンに投射し、
前記スクリーン上に投射された前記画像を指示する指示者を撮像し、
撮像された前記指示者および前記スクリーンの映像に基づき、前記指示者から前記スクリーンまでの距離を算出し、算出した前記距離に基づき、前記指示者が指示した前記スクリーン上の指示位置を特定し、
特定された前記スクリーン上の前記指示位置にポインタを投射する
投射方法。
【発明の詳細な説明】
【技術分野】
【０００１】
本発明は、投射システム、投射装置、及び投射方法に関する。特に本発明は、画像を生成する画像生成装置および画像をスクリーンに投射する投射装置を備える投射システムに関する。
【背景技術】
【０００２】
会議等の発表の場において、発表者は、画像をスクリーンに表示させながら発表を行う。この場合、発表者は、発表する内容に対応するスクリーン上の画像の一部を、手に保持したレーザーポインタ等によって、指示しながら発表を行う（例えば、特許文献１を参照）。
【特許文献１】特開平１０−９１３４４号公報（段落００１０）
【発明の開示】
【発明が解決しようとする課題】
【０００３】
しかし、発表者が原稿や資料等を見ながら発表を行う場合、手に保持したポインタが指示するスクリーン上の位置が移動してしまう場合があり、ポインタがスクリーン上のどこを指示しているのか不明確になる場合があった。また、発表に使われた画像を参照して、聴衆が質問を行う場合、質問者はレーザーポインタを受け取る必要があり、会議の進行に時間がかかる場合があった。
【０００４】
そこで本発明は、上記の課題を解決することのできる投射システム、投射装置、及び投射方法を提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態によると、投射装置は、画像をスクリーンに投射する画像投射部と、外部から指示されたスクリーン上の指示位置を特定する位置特定部と、位置特定部により特定されたスクリーン上の指示位置に、レーザー光により生成したポインタを投射するポインタ投射部とを備える。これにより、投射装置は、スクリーン上に投射された画像上の指示位置にポインタを安定して投射することができる。また、スクリーンに投射される画像よりも光の強度が高いレーザー光が指示位置に投射されるので、投射装置は、投射された画像の中の指示位置を確実に強調することができる。
【０００６】
上記した投射装置は、投射装置を無線通信により遠隔操作し、投射装置と別体である遠隔操作装置からの入力に基づき、位置特定部が、指示位置を特定する。遠隔操作により投射装置の電源制御、画質調整、及びピント合わせ等を行う遠隔操作装置を使って、指示位置を投射装置に指示することができるので、ポインタを操作するための新たな装置を設ける必要がない。
【０００７】
上記した投射装置は、スクリーン上の指示位置を指示する指示者を撮像する指示者撮像部をさらに備え、位置特定部は、指示者撮像部により撮像された指示者の映像および指示者からスクリーンまでの距離に基づき、指示者が指示したスクリーン上の指示位置を特定する。これにより、指示者は、指示位置を投射装置に指示するための機器を受け取ることなく、指示位置を投射装置に指示することができる。
【０００８】
本発明の第２の形態によると、投射装置は、画像をスクリーンに投射する画像投射部と、スクリーン上に投射された画像を指示する指示者を撮像する指示者撮像部と、指示者撮像部により撮像された指示者の映像および指示者からスクリーンまでの距離に基づき、指示者が指示したスクリーン上の指示位置を特定する位置特定部と、位置特定部により特定されたスクリーン上の指示位置にポインタを投射するポインタ投射部とを備える。これにより、指示者は、指示位置を投射装置に指示するための機器を受け取ることなく、投射装置に指示位置を指示することができる。
【０００９】
上記した指示者撮像部は、指示者の指を撮像し、位置特定部は、指示者撮像部により撮像された指示者の指の方向とスクリーンとの交点を指示位置として特定する。これにより、投射装置は、指示者の指が指示するスクリーン上の指示位置を精度良く特定することができる。また、上記した指示者撮像部は、指示者の指を拡大して撮像する。これにより、投射装置は、指示者の指が指示するスクリーン上の指示位置をさらに精度良く特定することができる。
【００１０】
また、上記した指示者撮像部は、撮像すべき領域を指示者の指が移動した方向に移動する。これにより、指示者の指が移動した場合であっても、投射装置は、指示者の指が指示するスクリーン上の指示位置を特定することができる。また、上記した指示者撮像部は、指示者の視線を撮像し、位置特定部は、指示者撮像部により撮像された指示者の視線とスクリーンとの交点を指示位置として特定する。これにより、指示者は、機器等を操作することなく、スクリーン上に投射された画像上の指示位置を注視することにより、投射装置に指示位置を指示することができる。
【００１１】
本発明の第３の形態は、画像を生成する画像生成装置および画像をスクリーンに投射する投射装置を備える投射システムであって、投射装置は、画像生成装置により生成された画像をスクリーンに投射する画像投射部と、外部から指示されたスクリーン上の指示位置を特定する位置特定部と、位置特定部により特定されたスクリーン上の指示位置に、レーザー光により生成したポインタを投射するポインタ投射部とを有する。また、上記した投射システムは、投射装置と別体であり、投射装置の画像投射部を無線通信により遠隔操作する遠隔操作装置をさらに備え、上記した位置特定部は、遠隔操作装置からの入力により、指示位置を特定する。これにより、第１の形態と同様の効果を得ることができる。
【００１２】
本発明の第４の形態によると、画像を生成する画像生成装置および画像をスクリーンに投射する投射装置を備える投射システムであって、投射装置は、画像生成装置により生成された画像をスクリーンに投射する画像投射部と、スクリーン上に投射された画像を指示する指示者を撮像する指示者撮像部と、指示者撮像部により撮像された指示者の映像および指示者からスクリーンまでの距離に基づき、指示者が指示したスクリーン上の指示位置を特定する位置特定部と、位置特定部により特定されたスクリーン上の指示位置にポインタを投射するポインタ投射部とを有する。これにより、第２の形態と同様の効果を得ることができる。
【００１３】
本発明の第５の形態によると、投射方法は、画像をスクリーンに投射し、外部から指示されたスクリーン上の指示位置を特定し、特定された指示位置に、レーザー光により生成したポインタを投射する。これにより、第１の形態と同様の効果を得ることができる。
【００１４】
本発明の第６の形態によると、投射方法は、画像をスクリーンに投射し、スクリーン上に投射された画像を指示する指示者を撮像し、撮像された指示者およびスクリーンの映像に基づき、指示者からスクリーンまでの距離を算出し、算出した距離に基づき、指示者が指示したスクリーン上の指示位置を特定し、特定されたスクリーン上の指示位置にポインタを投射する。これにより、第２の形態と同様の効果を得ることができる。
【００１５】
なお、上記の発明の概要は、本発明の必要な特徴の全てを列挙したものではなく、これらの特徴群のサブコンビネーションもまた、発明となりうる。
【発明を実施するための最良の形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１７】
図１は、本発明の一実施形態に係る投射システム１０の構成の一例を示す。本実施形態の投射システム１０は、スクリーン５０に投射された投射画像５２上の指示位置にポインタ５４を安定して投射する。投射システム１０は、プロジェクタ２０、ＰＣ（Personal Computer）３０、及びリモコン４０を備える。ＰＣ３０は、スクリーン５０上に投射すべき画像を生成する。リモコン４０は、プロジェクタ２０と別体であり、プロジェクタ２０を遠隔操作する。リモコン４０は、複数の操作キー４２を有し、例えば電波又は赤外線等の無線通信により、プロジェクタ２０の電源制御、画質調整、ピント合わせ等を行う。また、リモコン４０は、操作キー４２を介して、指示者からのポインタ５４の位置を特定するための入力を受け取り、プロジェクタ２０へ送る。
【００１８】
プロジェクタ２０は、画像投射部２２、ポインタ投射部２４、及び受信部２６を有する。画像投射部２２は、ＰＣ３０により生成された画像を投射画像５２として、スクリーン５０上に投射する。受信部２６は、リモコン４０から受け取った指示者の入力に基づいて、スクリーン５０に投射された投射画像５２上の指示位置を特定する。ポインタ投射部２４は、受信部２６が特定したスクリーン５０上の指示位置に、レーザー光によるポインタ５４を投射する。これにより、プロジェクタ２０は、スクリーン５０上に投射画像５２を投射し、投射画像５２上の指示位置にポインタ５４を投射する。
【００１９】
ポインタ投射部２４は、画像投射部２２に対して既知の位置に固定されているので、スクリーン５０に投射された投射画像５２上の指示位置に、ポインタ５４を安定して投射することができる。また、ポインタを投射するポインタ投射部２４がプロジェクタ２０の筐体内に一体に設けられているので、プロジェクタ２０の使用者は、プロジェクタ２０を使用する会場へ、プロジェクタ２０を持ち込んだ場合、ポインタを投射するために別体の機器を用意する必要がない。また、ポインタ投射部２４がプロジェクタ２０の筐体内に一体に設けられているので、プロジェクタ２０の使用者は、ポインタを表示させるための機器を紛失することがない。更に、ポインタ５４を操作するための新たな装置を設けることなく、遠隔操作によりプロジェクタ２０の電源制御、画質調整、及びピント合わせ等を行うリモコン４０を使って、プロジェクタ２０の使用者は、指示位置をプロジェクタ２０に指示することができる。
【００２０】
尚、プロジェクタ２０は、本発明における投射装置の一例であり、ＰＣ３０は、本発明における画像生成装置の一例であり、リモコン４０は、本発明における遠隔操作装置の一例であり、受信部２６は、本発明における位置特定部の一例である。また、他の例において、画像を生成する画像生成装置は、プロジェクタ２０と別体のＰＣ３０とは限られず、プロジェクタ２０の内部に設けられてもよい。
【００２１】
図２は、投射システム１０の詳細な構成の一例を示す。画像投射部２２は、画像処理部２２０、照射光学系２２２、液晶バルブ２２４、及び投射光学系２２６を備える。画像処理部２２０は、ＰＣ３０から受け取った画像を、液晶バルブ２２４を駆動する画像信号に変換する。照射光学系２２２は、光源及び反射鏡等により、液晶バルブ２２４へ均一な光を照射する。液晶バルブ２２４は、照射光学系２２２から照射された光を、画像処理部２２０から受け取った画像信号で変調し、光学像を生成する。投射光学系２２６は、複数のレンズを有し、液晶バルブ２２４が生成した光学像をスクリーン５０へ投射する。
【００２２】
ポインタ投射部２４は、レーザー発振器２４０、モーター２４２、及びミラー２４６を備える。レーザー発振器２４０は、レーザー光を生成する。ミラー２４６は、レーザー発振器２４０が生成したレーザー光を反射することにより、スクリーン５０上にポインタ５４を投射する。モーター２４２は、受信部２６が特定した指示位置に基づいて、ミラー２４６を移動させることにより、スクリーン５０上の指示位置にポインタ５４を投射させる。尚、他の例として、モーター２４２は、レーザー発振器２４０自体の向きを制御することにより、スクリーン５０上の指示位置にポインタ５４を投射させてもよい。
【００２３】
これにより、ポインタ投射部２４は、受信部２６が特定した指示者の入力に基づく指示位置を受け取ることにより、スクリーン５０上の指示位置にポインタ５４を投射する。ここで、レーザー発振器２４０が生成する光は、照射光学系２２２が生成する光よりも強い。そのため、投射されたポインタ５４がスクリーン５０上で発する光は、スクリーン５０上に投射された投射画像５２がスクリーン５０上で発する光よりも強い。従って、本例のプロジェクタ２０は、投射画像５２の中でポインタ５４のある位置を確実に強調することができる。
【００２４】
図３は、本発明の一実施形態に係る投射システム１０の構成の他の例を示す。尚、以下に説明する点を除き、図３において、図１と同じ符号を付した構成は、図１における構成と同一又は同様の機能及び構成を有するので説明を省略する。プロジェクタ２０は、位置特定部２５２及び指示者撮像部２５４を更に備える。指示者撮像部２５４は、スクリーン５０上の指示位置を指示する発表者又は聴衆等である指示者６０を撮像する。位置特定部２５２は、指示者撮像部２５４が撮像した指示者６０の撮像データに基づいて、スクリーン５０上の指示位置を特定する。そして、位置特定部２５２は、ポインタ投射部２４を制御することにより、スクリーン５０上の指示位置にポインタ５４を投射させる。尚、指示者６０が聴衆の場合、指示者撮像部２５４は、例えば立ち上がった聴衆を指示者６０として撮像してもよい。
【００２５】
図４は、図３を用いて説明した投射システム１０の詳細な構成の一例を示す。尚、以下に説明する点を除き、図４において、図２および図３と同じ符号を付した構成は、図２および図３における構成と同一又は同様の機能及び構成を有するので説明を省略する。指示者撮像部２５４は、例えばＣＣＤ等の撮像デバイス、複数のレンズ、及び方向変更機構を備える。複数のレンズは、互いの相対距離を変化させることにより、撮像デバイスが撮像する焦点距離を変化させる。方向変更機構は、撮像デバイス及び複数のレンズを移動させることにより指示者撮像部２５４の撮像方向を変化させる。方向変更機構は、例えばステッピングモータを有し、位置特定部２５２により制御される。位置特定部２５２は、指示者撮像部２５４から受け取った撮像データに基づいて、方向変更手段を制御することにより、指示者撮像部２５４の撮像方向を変化させる。
【００２６】
指示者撮像部２５４は、複数のレンズの相対位置を移動させることにより、焦点距離を変化させながら、指示者６０の手６２を複数回撮像し、撮像した複数の撮像データを位置特定部２５２へ送る。位置特定部２５２は、指示者撮像部２５４が撮像した複数の撮像データを受け取り、それぞれの撮像データに基づいて、指示者６０の手６２の指、例えば人差し指の位置、及びその指が指示する方向を特定する。
【００２７】
例えば、指示者撮像部２５４は、それぞれのレンズの相対距離と焦点距離とを対応づけて格納している。そして、指示者撮像部２５４は、撮像した複数の撮像データのそれぞれに焦点距離を対応づけて位置特定部２５２へ送る。位置特定部２５２は、指示者撮像部２５４から受け取った撮像データの中で、焦点の一致している部分を、その撮像データに対応づけられた焦点距離にある被写体であると判定する。位置特定部２５２は、この撮像データに基づいて、指示者撮像部２５４から被写体までの距離、及び指示者撮像部２５４の撮像領域内における被写体の位置を算出する。これにより、位置特定部２５２は、指示者撮像部２５４に対する被写体の位置を空間的に特定することができる。更に、指示者撮像部２５４に異なる焦点距離で被写体を撮像させることにより、位置特定部２５２は、指示者撮像部２５４の撮像方向における被写体の向きを算出することができる。
【００２８】
ここで、本例において、位置特定部２５２が、指示者撮像部２５４からの撮像データに基づいて、指示者６０の手６２の指の位置、及びその指が指示する方向を特定する動作を説明する。プロジェクタ２０がスクリーン５０に対して設置された状態において、ポインタ投射部２４がスクリーン５０上にパルス状のポインタ５４を投射し、その反射光を指示者撮像部２５４が受光する。位置特定部２５２は、これら投射と受光の時間差に基づきスクリーン５０までの距離を算出し、格納する。次に、指示者６０が、例えば握り拳から人差し指を延伸させた手６２の形状でスクリーン５０を指示する場合、位置特定部２５２は、指示者撮像部２５４に、人差し指の先端に焦点を合わせて手６２を撮像させる。この撮像データに基づいて、位置特定部２５２は、指示者撮像部２５４から人差し指の先端までの距離、及び指示者撮像部２５４の撮像領域内における人差し指の先端の位置を算出する。これにより、位置特定部２５２は、指示者撮像部２５４に対する人差し指の先端の位置を空間的に特定する。なお、プロジェクタ２０とスクリーン５０との距離を算出する方法は、投射と反射の時間差に限られず、投射と反射の位相差に基づいて算出してもよい。また、他の方法として、位置特定部２５２は、ポインタ投射部２４においてポインタ５４が出射される角度および位置に対して、指示者撮像部２５４の撮像デバイスにおいてポインタ５４の反射光を受光した位置に基づき、三角測量の原理によってスクリーン５０までの距離を算出してもよい。
【００２９】
次に、位置特定部２５２は、指示者撮像部２５４に、人差し指以外の指に焦点を合わせて手６２を撮像させ、指示者撮像部２５４から人差し指以外の指までの距離、及び指示者撮像部２５４の撮像領域内における人差し指以外の指の位置を算出する。位置特定部２５２は、人差し指の先端及び人差し指以外の指の位置から、人差し指の指示する方向を算出する。位置特定部２５２は、指示者撮像部２５４からスクリーン５０までの距離、指示者撮像部２５４から手６２の人差し指の先端までの距離、及び手６２の人差し指の指示する方向から、指示者６０の指の方向とスクリーン５０との交点を算出し、スクリーン５０上の指示位置として特定する。そして、モーター２４２は、位置特定部２５２が特定した指示位置に基づいて、ミラー２４６を移動させることにより、スクリーン５０上の指示位置にポインタ５４を投射させる。
【００３０】
このように、指示者６０は、指示位置をプロジェクタ２０に指示するための機器を受け取ることなく、プロジェクタ２０に指示位置を指示することができる。従って、発表者に対して聴衆が質問する場合、ポインタ５４を表示させるための機器等を質問者に渡す手間及び時間を省くことができる。また、指示者６０の指の指示する方向に基づいて指示位置を特定するので、プロジェクタ２０は、指示者６０が指示するスクリーン５０上の指示位置を精度良く特定することができる。
【００３１】
また、指示者撮像部２５４は、指示者６０の手６２を撮像する場合、指示者６０がスクリーン５０上の指示位置を指示している指を拡大して撮像する。これにより、プロジェクタ２０は、指示者６０の指の詳細な画像を撮像することができる。従って、プロジェクタ２０は、指示者６０の指が指示するスクリーン５０上の指示位置をさらに精度良く特定することができる。
【００３２】
また、位置特定部２５２は、指示者撮像部２５４から受け取った指示者６０の指の撮像データを格納する。そして、位置特定部２５２は、新たに指示者撮像部２５４から受け取った指示者６０の指の撮像データと、格納された指示者６０の指の前回の撮像データとを比較することにより、撮像領域内での指示者６０の指の移動方向及び移動距離を算出する。そして、位置特定部２５２は、指示者６０の指の先端が指示者撮像部２５４の撮像領域の略中央となるように、指示者撮像部２５４の方向変更機構を制御して、指示者撮像部２５４の撮像方向を移動させる。これにより、指示者６０の指が移動した場合、指示者６０の指が移動した方向へ、指示者撮像部２５４は撮像すべき領域を移動する。そのため、指示者６０の指が移動した場合であっても、指示者撮像部２５４は、移動した指示者６０の指の先端を常に捉えることができる。従って、指示者６０の指が移動した場合であっても、プロジェクタ２０は、指示者６０の指が指示するスクリーン５０上の指示位置を特定することができる。
【００３３】
また、他の例として、指示者撮像部２５４は、指示者６０の目を撮像してもよい。この場合、位置特定部２５２は、指示者撮像部２５４により撮像された指示者６０の目の撮像データから、指示者６０の視線を検出する。そして、位置特定部２５２は、指示者６０の視線とスクリーン５０との交点を指示位置として特定する。そして、位置特定部２５２は、指示者撮像部２５４から指示者６０の目までの距離、指示者６０の視線の方向、及び予め測定している指示者撮像部２５４からスクリーン５０までの距離から、指示者６０の視線とスクリーン５０との交点を算出し、指示位置として特定する。これにより、機器等を操作することなく、指示者６０は、スクリーン５０上に投射された投射画像５２上の指示位置を注視することにより、指示位置をプロジェクタ２０に指示することができる。なお、この場合に、位置特定部２５２は、算出した交点の所定時間平均、例えば１０秒平均の位置を、指示位置としてもよい。これにより、小刻みに移動しやすい視線に追従しすぎることなく、指示者６０が指示する指示位置にポインタ５４を安定して投射することができる。
【００３４】
尚、本例において、プロジェクタ２０は、１つの指示者撮像部２５４を用いて、スクリーン５０上の指示位置を特定したが、他の例として、プロジェクタ２０が２つの指示者撮像部２５４を備え、これらを用いて、スクリーン５０上の指示位置を特定してもよい。この場合、位置特定部２５２は、それぞれの指示者撮像部２５４が撮像したそれぞれの撮像領域内における被写体の位置の違いにより、指示者撮像部２５４に対する被写体の位置を空間的に特定することができる。従って、本例においても、位置特定部２５２は、指示者６０の指の指示する方向とスクリーン５０との交点を算出し、スクリーン５０上の指示位置として特定することができる。また、本例において、位置特定部２５２が、それぞれの指示者撮像部２５４が撮像したそれぞれの撮像領域内における被写体の位置の違いに基づいて、奥行きを含む被写体の位置を特定するので、指示者撮像部２５４は、それぞれのレンズの相対距離と焦点距離とを対応づけて格納する必要がない。
【００３５】
また、他の例として、位置特定部２５２は、特定された指示位置に基づいて、画像処理部２２０に、投射すべき画像上の指示位置にポインタを重畳させることにより、ポインタ５４が重畳された投射画像５２をスクリーン５０へ投射させてもよい。これにより、プロジェクタ２０を構成する部品を削減することができる。
【００３６】
上記説明から明らかなように、図１及び図２に示す本実施形態によれば、ポインタ投射部２４は、画像投射部２２に対して既知の位置に固定されているので、スクリーン５０に投射された投射画像５２上の指示位置に、ポインタ５４を安定して投射することができる。また、ポインタを投射するポインタ投射部２４がプロジェクタ２０の筐体内に一体に設けられているので、プロジェクタ２０の使用者は、プロジェクタ２０を使用する会場へ、プロジェクタ２０を持ち込んだ場合、別体のポインタを表示させるための機器を用意する必要がない。また、プロジェクタ２０の使用者は、ポインタを表示させるための機器を紛失することがない。
【００３７】
また、図３及び図４に示す本実施形態によれば、指示者６０は、スクリーン５０上の指示位置をプロジェクタ２０に指示するための機器を受け取ることなく、プロジェクタ２０に指示位置を指示することができる。従って、発表者に対して聴衆が質問する場合、ポインタ５４を表示させるための機器等を質問者に渡す手間及び時間を省くことができる。
【００３８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３９】
【図１】本発明の一実施形態に係る投射システム１０の構成の一例を示す。
【図２】投射システム１０の詳細な構成の一例を示す。
【図３】本発明の一実施形態に係る投射システム１０の構成の他の例を示す。
【図４】図３を用いて説明した投射システム１０の詳細な構成の一例を示す。
【符号の説明】
【００４０】
１０・・・投射システム、２０・・・プロジェクタ、２２・・・画像投射部、２２０・・・画像処理部、２２２・・・光学系、２２４・・・液晶バルブ、２２６・・・投射光学系、２４・・・ポインタ投射部、２４０・・・レーザー発振器、２４２・・・モーター、２４６・・・ミラー、２５２・・・位置特定部、２５４・・・指示者撮像部、２６・・・受信部、３０・・・パソコン、４０・・・リモコン、４２・・・操作キー、５０・・・スクリーン、５２・・・投射画像、５４・・・ポインタ、６０・・・指示者、６２・・・手
【図１】
2005062486.tif 000003
【図２】
2005062486.tif 000004
【図３】
2005062486.tif 000005
【図４】
2005062486.tif 000006